(57)【要約】【課題】従来の操作器と比べて構造，操作手順の簡素化し、機能面でも誤動作，操作ミス防止に関して高い信頼性が確保できるように操作機構の構造改良を図る。【解決手段】断路器を被操作機器として断路器の「入」，「切」，「接地」に対応する三つの操作位置Ａ，Ｂ，Ｃを持つ操作器で、ケース１１の内部に操作軸１，リンク機構４を介して出力軸に連繋した出力軸２を装備し、操作軸の回転操作によりリンク機構を介して出力軸を操作位置Ａ−Ｂ間に切り換え、操作位置Ｂ−Ｃ間の切り換えは出力軸の手動による回転操作で行うようにした操作器において、リンク機構４を操作レバー５と、従動レバー６と、連接リンク７とで構成し、かつ従動レバーと連接リンクとの間を長穴７ａと連結ピン６ａによるスライド可能な回り対偶で連結した上で、該リンク機構に対向して前記位置Ａ，Ｂ，Ｃと個々に対応する箇所にストッパ１４Ａ，１４Ｂ，１４Ｃを設け、さらに操作軸，出力軸の誤操作を防ぐ手段として、ケースの端面に操作軸の操作位置で出力軸を塞ぎ、出力軸の操作位置で操作軸を塞ぐシャッタ１６を設ける。【選択図】        図１
2006031943.tif 000002
【特許請求の範囲】
【請求項１】
三つの動作位置を持つ機器の操作器であって、ケース内部に、被操作機器の各動作位置に対応したＡ，Ｂ，Ｃの三つの操作位置を設定した出力軸と、該出力軸の側方に並設し、リンク機構を介して出力軸に連繋した操作軸を装備し、操作軸の回転操作によりリンク機構を介して出力軸を操作位置Ａ−Ｂ間に切換え、操作位置Ｂ−Ｃ間の切換えを出力軸の手動による回転操作で行うようにしたものにおいて、
前記リンク機構を、操作軸に結合した操作レバーと、出力軸に結合した従動レバーと、前記操作レバーと従動レバーとの間を連結した連接リンクとで構成し、かつ従動レバーと連接リンクとの間をスライド可能な回り対偶で連結した上で、該リンク機構に対向して前記位置Ａ，Ｂ，Ｃと個々に対応するストッパを設けたことを特徴とする機器の操作器。
【請求項２】
請求項１記載の操作器において、リンク機構の連接リンクがＵ字形リンクであり、該Ｕ字形リンクの端部に形成した長穴に従動レバーの連結ピンをスライド可能に嵌入して連結したことを特徴とする機器の操作器。
【請求項３】
請求項２記載の操作において、操作位置Ｂでは、従動レバーを原節として出力軸に加えた回転力で該出力軸が操作位置ＢからＡへ移行するのを阻止するように、リンク機構をこの位置にストッパで拘束保持させたことを特徴とする機器の操作器。
【請求項４】
請求項１記載の操作器において、ケースの操作側端面に、操作軸の操作位置で出力軸の操作端を塞ぎ、出力軸の操作位置では操作軸の操作端を塞ぐスライド式のシャッタ、および出力軸を操作位置Ｃに移行セットした状態では前記シャッタをこの位置に鎖錠する手段を設けたことを特徴とする機器の操作器。
【発明の詳細な説明】
【技術分野】
【０００１】
本発明は、例えば閉鎖配電盤に装備の主回路断路器に付設した操作器を対象に、断路器を「入」，「切」，「接地」の三つの動作位置に切り換え操作する操作器に関する。
【背景技術】
【０００２】
配電盤では、回路遮断器と主回路母線との間に断路器を接続し、主回路の通電状態に合わせて断路器を「入」，「切」，および「接地」に切り換え、特に回路遮断器の点検時には主回路母線から切り離した回路遮断器を断路器を介してアース側に接続するようにしており、この断路器の操作器として、図３のスケルトン図で表すような構成の操作器が知られている（例えば、特許文献１参照）。
【０００３】
図３において、１は手動操作ハンドル，あるいは駆動モータで回す操作軸、２は操作軸の側方に並設した出力軸、３は断路器（図示せず）を「入」，「切」，「接地」の各動作位置に駆動する出力レバー、４は操作軸１と出力軸２との間を連繋するクランク式のリンク機構で、５は操作軸１に結合した操作レバー、６は出力軸２に結合した従動レバー、７は操作レバー５と従動レバー６との間に架け渡した連接リンク、８は出力軸２の中間に介装した機械式のクラッチ機構、９，１０は次記の操作位置Ａ，Ｂに対応して操作レバー５の回動範囲を規制するストッパであり、これら機構をケース内に組み込んだ上で、配電盤に装備して断路器を操作するようにしている。なお、図示例では断路器の動作位置「入」，「切」，「接地」に対応する出力レバー３の操作位置をそれぞれＡ，Ｂ，Ｃで表している。
【０００４】
上記の構成で、断路器を「入」，「切」の動作位置に切り換えるには、駆動モータあるいは手動のハンドル操作で操作軸１を時計方向ないし反時計方向に回すことによりリンク機構４を介して出力軸２を回動し、出力レバー３を操作位置ＡあるいはＢに切り換える。一方、盤内で行う回路遮断器の点検に際して断路器を「切」から「接地」の動作位置に切り換える場合には、まずクラッチ機構８を「断」にして出力軸２の原動側と従動側との間の伝達経路を切り離した上で、出力軸２の従動側端に取り付けたハンドルを手動で回して出力レバー３をＢ位置からＣ位置に移動する。なお、特許文献１に詳記されているように、クラッチ機構８には出力レバー３の回動範囲を規制して出力軸２をＣ位置で停止させるストッパが組み込まれている。また、回路遮断器の保守点検後に通電状態に復帰させるには、出力軸２のハンドル操作により出力レバー３を「接地」に対応する位置Ｃから「切」に対応する位置Ｂに回した上でクラッチ機構８を元の「続」状態に戻し、ここから改めて操作軸１を回転操作して出力レバー３をＢからＡに移動して断路器を「入」の動作位置に投入するようにしている。
【特許文献１】特開２００３−２４００８６号公報
【発明の開示】
【発明が解決しようとする課題】
【０００５】
ところで、図３に示した従来構成（特許文献１）の機器操作器では、構造，操作性の面で次記のような問題点がある。
【０００６】
すなわち、操作器の操作時には出力レバー３を断路器の「入」，「切」，「接地」に対応する三つの操作位置Ａ，Ｂ，Ｃに停止保持させるために、Ａ，Ｂ位置に対応して操作レバー５の回転軌跡上に設けたストッパ９，１０の他に、出力軸２の中間にクラッチ機構８を追加装備し、このクラッチ機構８にストッパを組み込んで出力レバー３をＣ位置に停止保持させるようにしている。
【０００７】
このために、操作器の部品点数が多く、構造が複雑化してコスト高となる。また、「接地」に対応するＣ位置への切り換え操作に際しては、その都度クラッチ機構８を「断」，「続」させる余分な工程を必要とするための操作手順が複雑化して手間がかかる。
【０００８】
本発明は上記の点に鑑みなされたものであり、その目的は前記課題を解決し、従来の操作器に装備したクラッチ機構を排除して構造の簡略化，操作手順の簡便化を図りつつ、機能面では操作器の出力軸を被操作機器である断路器の「入」，「切」，「接地」に対応する三つの操作位置Ａ，Ｂ，Ｃに位置決めして停止保持でき、しかも断路器を「接地」から「切」の動作位置に戻す際に、操作器がＣ位置からＢ位置を超えて断路器が不測に「入」に投入されるのを阻止し、さらに加えて断路器を「接地」位置に切り換えたセット状態では、勝手に操作器の操作軸を操作して断路器を「入」，「切」の動作位置に切り換えることができないようにするシャッタ手段を付加して操作ミスを防止した低コストで操作性，信頼性の高い操作器を提供することにある。
【課題を解決するための手段】
【０００９】
上記目的を達成するために、本発明によれば、三つの動作位置を持つ機器の操作器として、ケース内部に、被操作機器の各動作位置に対応するＡ，Ｂ，Ｃの三つの操作位置を設定した出力軸と、該出力軸の側方に並設し、リンク機構を介して出力軸に連繋した操作軸を装備し、操作軸の回転操作によりリンク機構を介して出力軸を操作位置Ａ−Ｂ間に切り換え、操作位置Ｂ−Ｃ間の切り換えを出力軸の手動による回転操作で行うようにした機器の操作器において、
前記リンク機構を、操作軸に結合した操作レバーと、出力軸に結合した従動レバーと、前記操作レバーと従動レバーとの間を連結した連接リンクとで構成し、かつ従動レバーと連接リンクとの間をスライド可能な回り対偶で連結した上で、該リンク機構に対向して前記位置Ａ，Ｂ，Ｃと個々に対応するストッパを設け（請求項１）、その具体的な態様として次記のように構成するものとする。
（１）前記リンク機構の連接リンクがＵ字形リンクであり、該Ｕ字形リンクの端部に形成した長穴に従動レバーの連結ピンをスライド可能に嵌入して従動レバーと連結リンクとの間を連結する（請求項２）。
（２）前項（１）において、従動レバーを原節として出力軸に加えた回転力で該出力軸が操作位置ＢからＡへ移行するのを阻止させるために、操作位置Ｂでは操作レバーと連接リンクとの間の回り対偶が、従動レバーを介して加わる力の作用線に対して死点側の位置にストッパで保持されるように設定する（請求項３）。
（３）さらに、操作ミスを防止して信頼性を高めるために、ケースの操作側端面に、操作軸の操作位置で出力軸の操作端を塞ぎ、出力軸の操作位置では操作軸の操作端を塞ぐスライド式のシャッタ、および出力軸を操作位置Ｃに移行セットした状態で前記シャッタをこの位置に鎖錠する手段を設ける（請求項４）。
【発明の効果】
【００１０】
上記の構成によれば、次記の効果を奏する。すなわち、操作軸と駆動軸との間を連繋したリンク機構を、操作軸に結合した操作レバーと、出力軸に結合した従動レバーと、前記操作レバーと従動レバーとの間を連結した連接リンクとからなる四節リンクで構成した上で、前記従動レバーと連接リンクとの間の連結を長穴，連結ピンによるスライド式の回り対偶とした上で、該リンク機構に対向して前記位置Ａ，Ｂ，Ｃと個々に対応するストッパを設けたことにより、図３に示した従来の操作器に装備したクラッチ機構を排除して構造の簡略化，操作手順の簡便化を図りつつ、機能面では操作器の出力軸をＡ，Ｂ，Ｃの三つの操作位置に停止保持できる。なお、この場合に操作位置Ｂ−Ｃの間で出力軸に回転力を加えて回転操作すると、従動レバーの連結ピンは連接リンクの長穴をスライドする。これにより、従動レバーの動きに従動して連接リンクが操作レバーとの間の連結ピンを支点に揺動するだけで操作軸に干渉することはない。
【００１１】
また、前記のリンク機構について、操作位置Ｂでは操作レバーと連接リンクとの間の回り対偶が、従動レバーを介して加わる力の作用線に対して死点を超えた反転位置にストッパで保持されるように設定することにより、出力軸に回転力を加えてＡ位置に回そうとしても、リンク機構はＢ位置に拘束されままＢ位置から動かない。これにより、出力軸に回転力を加えて操作位置ＣからＢ位置に戻す際に、出力軸がＢ位置を超えてＡ位置に切り換わる誤動作を阻止することができて安全性，信頼性が向上する。
【００１２】
さらに、ケースの操作側端面に、操作軸の操作位置で出力軸の操作端を塞ぎ、出力軸の操作位置では操作軸の操作端を塞ぐスライド式のシャッタ、および出力軸を操作位置Ｃに移行セットした状態で前記シャッタをこの位置に拘束保持する鎖錠手段を設けることにより、操作器の操作ミスを防止して信頼性を高めることができる。
【発明を実施するための最良の形態】
【００１３】
以下、本発明の実施の形態を図１（ａ），（ｂ）および図２に示す実施例に基づいて説明する。なお、実施例の図中で図３に対応する部材には同じ符号を付している。
【００１４】
図示実施例の構成では、箱形ケース１１のベース１１ａと中間フレーム１１ｂとの間に操作軸１,操作軸１の側方に並置した出力軸２，操作軸１と出力軸２の間を連繋したリンク機構４，操作軸１に歯車機構１２を介して連結した駆動モータ１３が組み付けられており、その他に図示してないが出力軸２の操作位置を電気的に検出するスイッチや制御部などを搭載して操作器を構成している。この操作器は配電盤の盤内に装備し、ケース１１のベース１１ａを貫通して背後に突き出した出力軸２の先端フランジ２ａを図示してない断路器の駆動軸に連結し、操作器の操作（操作の詳細については後記する）により断路器「入」，「切」，「接地」の動作位置に切り換える。なお、操作軸１，出力軸２の後端には手動操作ハンドル（図示せず）を連結するためのピン継手１ａ，２ｂを備えている。
【００１５】
ここで、操作軸１と出力軸２との間を連繋するリンク機構４は、操作軸１の軸上に結合した操作レバー６と、出力軸２に結合した従動レバー６と、操作レバー６と従動レバー６との間に架け渡したＵ字形の連接リンク７からなり、操作レバー６と連結リンク７との間は連結ピン５ａを介して連結し、連接リンク７と従動レバー６との間はリンクの先端に形成した長穴７ａ（長穴７ａはリンクの他端側のピン穴とを結ぶ仮想線に沿った方向に形成している）に従動レバー６に植設した連結ピン６ａを嵌合して連結したスライド可能な回り対偶とし、出力軸２の回りには被操作機器である断路器の「入」，「切」，「接地」の各動作位置に対応する三つの操作位置Ａ，Ｂ，Ｃを設定している。
【００１６】
また、操作器の操作過程で出力軸２を前記位置Ａ，Ｂ，Ｃに停止保持させるために、リンク機構４の移動軌跡に合わせてケース１のベース１１ａ上にストッパ１４Ａ，１４Ｂ，１４Ｃを設けている（図１（ｂ）参照）。ここで、ストッパ１４Ａ，１４Ｂは、図示のように操作レバー５のＡ’，Ｂ’位置に対向して設け、ストッパ１４Ｃは従動レバー６の位置Ｃ’に対向して設けている。なお、図１（ｂ）は出力軸２がＢ位置（断路器「切」）に停止している状態を表している。
【００１７】
上記の構成で、操作軸１にハンドルを連結して時計方向に回すと、リンク機構４を介して出力軸２がＢ位置から時計方向に回動し、Ａ位置に到達すると操作レバー５がストッパ１４Ａに突き当たってこの位置に停止し、断路器は「入」となる。また、Ａ位置から操作軸１を反時計方向に回すと、出力軸２はＡからＢ位置（断路器「切」）に移行し、Ｂ位置に達すると操作レバー５がストッパ１４Ｂに当たってＢ位置に停止し、これ以上の回転を阻止する。
【００１８】
一方、配電盤内の回路遮断器を点検するために、断路器の動作位置を「切」から「接地」に切り換える場合には、出力軸２にハンドルを連結して反時計方向に回し、従動レバー６がＣ位置に移動してストッパ１４Ｃに突き当たったところで停止する。なお、この移動過程では従動レバー６の連結ピン６ａが連接リンク７の長穴７ａをスライドするので、連接リンク７はＢ’の位置に停止している操作レバー５の連結ピン５ａを支点に自由に揺動するだけで、操作レバー５はＢ‘位置に停止したままである。また、出力軸２を時計方向に回してＣ位置からＢ位置に戻す過程で従動レバー６がＢ位置に達すると、このＢ位置では従動レバー６を原節として反時計方向に加わる力の作用線に対して、操作レバー５と連接リンク７との間の連結ピン５ａ（回り対偶）が死点を超えた反転位置でストッパ１４Ｂに停止保持されているので、従動レバー６の連結ピン６ａが連接リンク７を押しても出力軸２はＢ位置を超えてＡ位置に移動することがなく、これにより断路器が誤って「入」に投入される誤操作が防げる。
【００１９】
なお、断路器の動作状態「入」,「切」,「接地」を操作器で表示させるために、図示実施例では出力軸２の操作端側の軸上に図２で示すような円弧状の表示板１５を取り付け、前記操作位置Ａ，Ｂ，Ｃに対応して表示板１６の表示マーク「入」,「切」,「接地」をケース１１のカバー１１ｃに開口した表示窓１１ｃ−１を通して表示するようにしている。
【００２０】
さらに、図示実施例の操作器では、操作軸，出力軸の誤操作を防ぐ手段として、ケース１１の操作端面側（カバー１１ｃの内側）にシャッタ１６を備えている。このシャッタ１６は、その両側縁がガイドレール１７に沿って矢印Ｐ方向にスライド可能に案内支持され、シャッタの板面にはつまみ１６ａ，操作軸１の軸端に対応する操作窓穴１６ｂ，および右側端縁にストッパ片１６ｃを備えている。
【００２１】
このシャッタ１６は次のような動作する。すなわち、図２の状態ではシャッタ１６が操作軸１および出力軸２の操作端を覆っており、かつ出力軸２は操作位置Ｂに停止（図１（ａ）の実線状態）して表示板１５が「切」を表示している。この状態から、断路器を「入」に投入，あるいは「入」から「切」に操作する場合には、つまみ１６ａに手を掛けてシャッタ１６を右方にスライドさせ、操作軸１の軸端が操作窓穴１６に臨むようにセットし、この状態で操作軸１のピン継手１ａに図示しないハンドルを連結して操作軸１を回す。なお、この状態では、シャッタ１６が出力軸２の軸端を覆っているので、外部から出力軸２にハンドルを連結してＣ位置に切り換える操作は行えない。
【００２２】
一方、図示の状態から操作器をＣ位置に切り換える場合には、シャッタ１６を左側にスライドして出力軸２の端面を開放した上で、出力軸２のピン継手２ｂにハンドルを連結して操作を行う。なお、この状態ではシャッタ１６が操作軸１の軸端を覆っているので、操作軸１をハンドル操作することができない。また、出力軸２をＣ位置に回して断路器を「接地」の動作位置に切り換えた状態になると、表示板１５は図２の位置から反時計方向に９０°回転して表示板の端部が図示の１５'の位置に移動してシャッタ１６のストッパ片１６ｃに対峙し、シャッタ１６の右方向へのスライドを阻止する。したがって、配電盤の回路遮断器を点検するために、操作器をＣ位置にセットした断路器「接地」の状態では、操作軸１にハンドルを連結して勝手にＢ位置あるいはＡ位置に切り換える操作ミスを防止して不測な感電事故に対する安全性を確保できる。
【００２３】
さらに、図示実施例の操作器では、操作ミスを防止する機能アップ手段として、次記のような構造を採用している。すなわち、出力軸２の軸端に設けたピン継手２ｂと軸との間には圧縮ばね２ｃを介挿して常時はピン継手を軸端から浮かした位置に保持し、出力軸２をハンドル操作する際にはピン継手２ｂに連結したハンドルを押し込んで出力軸２と結合した上で回すようにし、さらにこの継手構造に加えて、出力軸２の操作端側にはピン継手２ｂの浮上高さに位置を合わせてピン継手の回動範囲を規制するストッパ板１８を設けている。このストッパ板１８はケース１１に支持してシャッタ１６の内側に配置されており、その板面の内周には図２で表すように操作位置Ａ，Ｂ，Ｃに合わせてピン継手２ｂの回動範囲をＡ−Ｂの間に規制する溝１８Ａ−ＢとＣ位置に規制する溝１８Ｃを組み合わせた異形の十字溝が形成されている。
【００２４】
この構造により、操作軸１にハンドルを連結して出力軸２をＡ−Ｂ間で切り換え操作する場合には、出力軸２のピン継手２ｂは規制板１８の溝１８Ａ−Ｂの範囲で自由に回動可能である。これに対して、出力軸２のピン継手２ｂにハンドルを連結してＣ位置に切り換える場合には、ハンドルを押し込んでピン継手２ｂを出力軸２の軸端に正しく結合させない限りは、ハンドルを回しても規制板１８の溝１８Ａ−Ｂと１８Ｃとの間の壁に阻まれてＣ位置に回すことができず、ハンドルを押し込んで出力軸２に正しく結合することによりストッパ板１８の拘束が解除されてＣ位置への切り換えが可能となる。また、出力軸２をＣ位置からＢ位置に戻す場合でも、前記と同様にピン継手２ｂに連結したハンドルを押し込まないと切り換え操作が行えない。
【００２５】
以上述べた構成により、図３に示した従来構造（出力軸にラッチを介挿している）と比べて構造，操作手順が簡単で、かつ誤動作，操作ミスのおそれなしに操作器を断路器の動作位置「入」，「切」，「接地」に対応した三つの操作位置Ａ，Ｂ，Ｃに切り換えることができる。
【図面の簡単な説明】
【００２６】
【図１】本発明の実施例による操作器の構成図で、（ａ）は内部構造を表す側視断面図、（ｂ）は（ａ）の矢視Ｘ−Ｘ断面図
【図２】図１（ａ）のケースカバー側から見た要部の正面図
【図３】従来における操作器の操作機構を表した略示構成図
【符号の説明】
【００２７】
１    操作軸
２    出力軸
４    リンク機構
５    操作レバー
６    従動レバー
６ａ  連結ピン
７    連接リンク
７ａ  長穴
１１    ケース
１４Ａ〜１４Ｃ  ストッパ
１５    表示板
１６    シャッタ
Ａ，Ｂ，Ｃ  操作位置
【図１】
2006031943.tif 000003
【図２】
2006031943.tif 000004
【図３】
2006031943.tif 000005